(57)【要約】  洗浄性能が超音波洗浄を上回る新たなフィルター洗浄方法を提供する。  本発明のフィルター洗浄方法は、衝撃波を発生する衝撃波発生工程と、前記衝撃波をフィラーが付着したフィルターに接触させる衝撃波接触工程と、を含み、前記衝撃波接触工程において、前記衝撃波により、前記フィルターに与えられる圧力が０．０７ＭＰａ以上であることを特徴とする。
2019230024.tif 000002
【特許請求の範囲】
【請求項１】
衝撃波を発生する衝撃波発生工程と、
前記衝撃波をフィラーが付着したフィルターに接触させる衝撃波接触工程と、
を含み、
前記衝撃波接触工程において、前記衝撃波により、前記フィルターに与えられる圧力が０．０７ＭＰａ以上である、
ことを特徴とする、フィルター洗浄方法。
【請求項２】
前記衝撃波接触工程において、前記衝撃波を、前記フィルターに水中下で接触させる、請求項１記載のフィルター洗浄方法。
【請求項３】
前記フィラーが、酸化チタン、炭酸カルシウム、タルク、シリカ、モンモリロナイト、セピオライト、クレー、ウォラスナイト、チタン酸カリウム、ゾノトライト、石膏繊維、アルミボレート、繊維状マグネシウム化合物、アラミド繊維、炭素繊維、ガラス繊維、マイカ、ガラスフレーク、ポリオキシベンゾイルウイスカー、ゼオライト、銀イオン担持ゼオライト、シリカバルーン、ガラスバルーン、シラスバルーン、樹脂バルーン、カーボンブラック、黒鉛、金属粉、金属繊維、金属箔、カーボンナノチューブ、フェライト、磁性酸化鉄、サマリウムコバルト、Ｎｄ−Ｆｅ−Ｂ、酸化アルミニウム、窒化アルミニウム、窒化ホウ素、酸化ベリリウム、チタン酸バリウム、チタン酸ジルコン酸鉛、鉛、タングステン、ステンレス、硫酸バリウム、硫化モリブデン、木炭粉、ガラスビーズ、酸化マグネシウム、ハイドロタルサイト、酸化アンチモン、水酸化アルミニウム、水酸化マグネシウム、ホウ酸亜鉛、赤燐、炭酸亜鉛、ドーソナイト、酸化亜鉛、酸化鉄、酸化カルシウム、酸化セリウム、活性白土、高分子ゲル、顔料、ポリテトラフルオロエチレン粉末およびシリカゲルからなる群から選択される少なくとも一つである、請求項１または２記載のフィルター洗浄方法。
【請求項４】
請求項１から３のいずれか一項に記載のフィルター洗浄方法に用いられ、
衝撃波を発生させる衝撃波発生部と、
前記衝撃波発生部に隣接し、または前記衝撃波発生部を内部に収容し、かつ、前記フィラーが付着したフィルターを収納可能なフィルター収納部と、
を含み、
前記衝撃波により、前記フィルターに与えられる圧力が０．０７ＭＰａ以上である、
ことを特徴とする、フィラー除去用のフィルター洗浄装置。
【請求項５】
前記フィルター収納部内に水が充填されており、
前記衝撃波を、前記フィルターに水中下で接触させる、請求項４記載のフィルター洗浄装置。
【請求項６】
前記フィラーが、酸化チタン、炭酸カルシウム、タルク、シリカ、モンモリロナイト、セピオライト、クレー、ウォラスナイト、チタン酸カリウム、ゾノトライト、石膏繊維、アルミボレート、繊維状マグネシウム化合物、アラミド繊維、炭素繊維、ガラス繊維、マイカ、ガラスフレーク、ポリオキシベンゾイルウイスカー、ゼオライト、銀イオン担持ゼオライト、シリカバルーン、ガラスバルーン、シラスバルーン、樹脂バルーン、カーボンブラック、黒鉛、金属粉、金属繊維、金属箔、カーボンナノチューブ、フェライト、磁性酸化鉄、サマリウムコバルト、Ｎｄ−Ｆｅ−Ｂ、酸化アルミニウム、窒化アルミニウム、窒化ホウ素、酸化ベリリウム、チタン酸バリウム、チタン酸ジルコン酸鉛、鉛、タングステン、ステンレス、硫酸バリウム、硫化モリブデン、木炭粉、ガラスビーズ、酸化マグネシウム、ハイドロタルサイト、酸化アンチモン、水酸化アルミニウム、水酸化マグネシウム、ホウ素亜鉛、赤燐、炭酸亜鉛、ドーソナイト、酸化亜鉛、酸化鉄、酸化カルシウム、酸化セリウム、活性白土、高分子ゲル、顔料、ポリテトラフルオロエチレン粉末およびシリカゲルからなる群から選択される少なくとも一つである、請求項４または５記載のフィルター洗浄装置。
【発明の詳細な説明】
【技術分野】
【０００１】
本発明は、フィルター洗浄方法およびフィルター洗浄装置に関する。
【背景技術】
【０００２】
従来から、フィルターの洗浄に、超音波洗浄が用いられている（特許文献１参照）。
【先行技術文献】
【特許文献】
【０００３】
【特許文献１】特開２００４−３５８２８６号公報
【発明の概要】
【発明が解決しようとする課題】
【０００４】
しかしながら、超音波洗浄では、フィルターに付着したフィラー等の付着物を、物理的に除去不可能な場合がある。【０００５】
そこで、本発明は、洗浄性能が超音波洗浄を上回る新たなフィルター洗浄方法およびフィルター洗浄装置を提供することを目的とする。
【課題を解決するための手段】
【０００６】
前記目的を達成するために、本発明のフィルター洗浄方法は、
衝撃波を発生する衝撃波発生工程と、
前記衝撃波をフィラーが付着したフィルターに接触させる衝撃波接触工程と、
を含み、
前記衝撃波接触工程において、前記衝撃波により、前記フィルターに与えられる圧力が０．０７ＭＰａ以上である、
ことを特徴とする。【０００７】
本発明のフィラー除去用のフィルター洗浄装置は、
前記本発明のフィルター洗浄方法に用いられ、
衝撃波を発生させる衝撃波発生部と、
前記衝撃波発生部に隣接し、または前記衝撃波発生部を内部に収容し、かつ、前記フィラーが付着したフィルターを収納可能なフィルター収納部と、
を含み、
前記衝撃波により、前記フィルターに与えられる圧力が０．０７ＭＰａ以上である、
ことを特徴とする。
【発明の効果】
【０００８】
本発明のフィルター洗浄方法およびフィルター洗浄装置によれば、超音波洗浄を上回る洗浄性能が得られる。
【図面の簡単な説明】
【０００９】
【図１】図１は、本発明の実施例における衝撃波発生部からの距離および衝撃波発生部へのチャージ電圧と、衝撃圧との関係の求め方を説明する模式図である。
【図２】図２は、本発明の実施例における衝撃波発生部からの距離および衝撃波発生部へのチャージ電圧と、衝撃圧との関係を示すグラフである。
【図３】図３は、本発明の実施例における洗浄性能評価方法を説明するための模式図である。
【発明を実施するための形態】
【００１０】
本発明において、「衝撃波」とは、例えば、音速を超える速さで伝わる圧力変化の波である。本発明において、前記衝撃波の発生手段および発生方法に特に制限はなく、例えば、前記発生手段が、一対の電極であり、前記電極を用いたパルス放電等の放電により前記衝撃波を発生させてもよいし、前記発生手段が、火薬等の爆薬であり、その爆発により前記衝撃波を発生させてもよい。
【００１１】
本発明において、「圧力」とは、例えば、ゲージ圧であってもよい。
【００１２】
本発明のフィルター洗浄方法では、前記衝撃波接触工程において、前記衝撃波が、前記フィルターに水中下で接触してもよい。また、本発明のフィルター洗浄装置において、前記フィルター収納部内に水が充填されており、前記衝撃波が、前記フィルターに水中下で接触してもよい。
【００１３】
本発明のフィルター洗浄方法およびフィルター洗浄装置において、前記フィラーは、酸化チタン、炭酸カルシウム、タルク、シリカ、モンモリロナイト、セピオライト、クレー、ウォラスナイト、チタン酸カリウム、ゾノトライト、石膏繊維、アルミボレート、繊維状マグネシウム化合物、アラミド繊維、炭素繊維、ガラス繊維、マイカ、ガラスフレーク、ポリオキシベンゾイルウイスカー、ゼオライト、銀イオン担持ゼオライト、シリカバルーン、ガラスバルーン、シラスバルーン、樹脂バルーン、カーボンブラック、黒鉛、金属粉、金属繊維、金属箔、カーボンナノチューブ、フェライト、磁性酸化鉄、サマリウムコバルト、Ｎｄ−Ｆｅ−Ｂ、酸化アルミニウム、窒化アルミニウム、窒化ホウ素、酸化ベリリウム、チタン酸バリウム、チタン酸ジルコン酸鉛、鉛、タングステン、ステンレス、硫酸バリウム、硫化モリブデン、木炭粉、ガラスビーズ、酸化マグネシウム、ハイドロタルサイト、酸化アンチモン、水酸化アルミニウム、水酸化マグネシウム、ホウ酸亜鉛、赤燐、炭酸亜鉛、ドーソナイト、酸化亜鉛、酸化鉄、酸化カルシウム、酸化セリウム、活性白土、高分子ゲル、顔料、ポリテトラフルオロエチレン粉末およびシリカゲルからなる群から選択される少なくとも一つであってもよい。
【００１４】
つぎに、本発明のフィルター洗浄方法およびフィルター洗浄装置について、例をあげて説明する。本発明のフィルター洗浄方法は、例えば、図３に示すフィルター洗浄装置を用いて実施可能である。図３に示すように、このフィルター洗浄装置は、衝撃波発生部１０と、フィルター収納部１２と、を含む
【００１５】
本例のフィルター洗浄装置は、フィルター収納部１２の内部に、衝撃波発生部１０を収容する。衝撃波発生部１０は、アルミニウムワイヤーを張った電極端子に電荷をチャージした際の放電により衝撃波を発生する。この場合において、放電は、一回であってもよいし、連続した複数回であってもよい。衝撃波発生部１０は、例えば、フィルター収納部１２の内部において、支持部材（図示省略）によって所定の位置に配置される。
【００１６】
図３には、フィルター収納部１２の内部に、衝撃波発生部１０が収容されたフィルター洗浄装置を示している。ただし、本発明は、この例に限定されない。本発明において、衝撃波発生部１０が、例えば、後述の爆薬または打撃手段により衝撃波を発生するものである場合、衝撃波発生部１０は、フィルター収納部１２に隣接して設けられてもよい。
【００１７】
図３には、前記衝撃波の発生手段として、アルミニウムワイヤーを張った電極端子を例示したが、本発明は、これに限定されない。前述のとおり、本発明において、前記衝撃波の発生手段および発生方法に特に制限はなく、例えば、前記発生手段が、電気雷管等により起爆される火薬等の爆薬であり、前記爆薬の爆発により前記衝撃波を発生させてもよい。また、例えば、前記発生手段が、ハンマー部材等の打撃手段であり、前記打撃手段を用いてフィルター収納部１２に機械的な衝撃力を加えることにより前記衝撃波を発生させてもよい。これらの場合において、爆発または打撃は、一回であってもよいし、連続した複数回であってもよい。
【００１８】
フィルター収納部１２は、フィルター２０を収納可能である。フィルター２０は、例えば、支持部材（図示省略）によってフィルター収納部１２の所定の位置に収納される。図３において、フィルター２０の数は、一個であるが、これは例示であって、本発明は、これに限定されない。本発明において、フィルター収納部１２に収納されるフィルター２０の数は、複数であってもよい。
【００１９】
フィルター収納部１２の形成材料は、特に限定されず、例えば、樹脂；アルミニウム、銅、銅合金、鉄、鉄合金、ニッケル、タングステン、タングステン合金等の金属；等があげられる。
【００２０】
フィルター収納部１２内には、前記衝撃波を伝搬させる伝達媒体が充填されていてもよい。前記伝達媒体としては、例えば、水等の液体；ゴム等の弾性体、ジェル状の物体等の固体；大気等の気体；あるいはこれらの混合物等を用い得る。これらの中でも、前記衝撃波の伝達性の観点から、液体または固体が好ましく、さらに、安価かつ入手が容易であることから、水が好適である。前述のように、衝撃波発生部１０が、フィルター収納部１２に隣接して設けられる場合には、衝撃波発生部１０内にも、同様の伝達媒体が充填されていてもよい。
【００２１】
図３に示すフィルター洗浄装置を用いた本発明のフィルター洗浄方法は、例えば、つぎのようにして実施される。まず、衝撃波発生部１０により、衝撃波を発生する。前記衝撃波は、フィルター収納部１２内の前記伝達媒体（例えば、水）を伝搬して、フィルター２０に接触する。フィルター２０への前記衝撃波の接触により、フィルター２０に付着したフィラーが粉砕され、前記伝達媒体に拡散されることで、除去される。このとき、前記衝撃波により、フィルター２０に与えられる圧力を０．０７ＭＰａ以上とすることで、後述の実施例で実証されているように、超音波洗浄を上回る洗浄性能が得られる。前記フィラーとしては、例えば、酸化チタン、炭酸カルシウム、タルク、シリカ、モンモリロナイト、セピオライト、クレー、ウォラスナイト、チタン酸カリウム、ゾノトライト、石膏繊維、アルミボレート、繊維状マグネシウム化合物、アラミド繊維、炭素繊維、ガラス繊維、マイカ、ガラスフレーク、ポリオキシベンゾイルウイスカー、ゼオライト、銀イオン担持ゼオライト、シリカバルーン、ガラスバルーン、シラスバルーン、樹脂バルーン、カーボンブラック、黒鉛、金属粉、金属繊維、金属箔、カーボンナノチューブ、フェライト、磁性酸化鉄、サマリウムコバルト、Ｎｄ−Ｆｅ−Ｂ、酸化アルミニウム、窒化アルミニウム、窒化ホウ素、酸化ベリリウム、チタン酸バリウム、チタン酸ジルコン酸鉛、鉛、タングステン、ステンレス、硫酸バリウム、硫化モリブデン、木炭粉、ガラスビーズ等の各種ビーズ、酸化マグネシウム、ハイドロタルサイト、酸化アンチモン、水酸化アルミニウム、水酸化マグネシウム、ホウ酸亜鉛、赤燐、炭酸亜鉛、ドーソナイト、酸化亜鉛、酸化鉄、酸化カルシウム、酸化セリウム、活性白土、高分子ゲル、顔料、ポリテトラフルオロエチレン粉末（例えば、テフロン（登録商標）粉等）、シリカゲル等があげられる。前記フィラーは、１種であってもよいし、２種以上であってもよい。前記伝達媒体は、前記フィラーの拡散による汚れ具合により、適宜交換してもよい。
【実施例】
【００２２】
つぎに、本発明の実施例について比較例と併せて説明する。なお、本発明は、下記の実施例および比較例により限定および制限されない。【００２３】
〔衝撃波発生部からの距離および衝撃波発生部へのチャージ電圧と、衝撃圧との関係〕
まず、本発明のフィルター洗浄方法およびフィルター洗浄装置による洗浄性能評価に先立ち、衝撃波発生部からの距離および衝撃波発生部へのチャージ電圧と、衝撃圧との関係を求めた。【００２４】
図１に示すとおり、フィルター収納部（水を張った水槽）１２内において、衝撃波発生部１０と、圧力プローブ１１との間隔（ｄ［ｍｍ］）、および、衝撃波発生部１０へのチャージ電圧を変えながら、圧力プローブ１１に接続したオシロスコープ１３で、圧力を測定した。水槽１２の大きさは、特に制限されず、本例では、４９６ｍｍ×４９６ｍｍ×５９８ｍｍの直方体状の水槽１２を用いた。また、水槽１２に張る水の量も、特に制限されず、本例では、深さ約５２０ｍｍとした。さらに、衝撃波発生部１０の構成も、特に制限されず、本例では、線径０．９ｍｍ、線長６０ｍｍのアルミニウムワイヤーを張った電極端子に、パルス電源装置１４を用いて電荷をチャージした際の放電により、前記衝撃波を発生させた。【００２５】
図２に示す結果から、衝撃波発生部１０からの距離ｄ［ｍｍ］および衝撃波発生部１０へのチャージ電圧Ｖ［ｋＶ］と、衝撃圧Ｐ［ＭＰａ］には、下記式（１）の関係があることがわかった。
Ｐ＝１．８８×１０５×ｄ−２．６６×Ｖ３．１９      （１）
【００２６】
〔サンプルの準備〕
つぎに、本発明のフィルター洗浄方法およびフィルター洗浄装置による洗浄性能評価に用いるサンプルとして、表１に示すフィルター１〜３を準備した。なお、フィルター１〜３に付着している（捕集されている）フィラーは、酸化チタンである。【００２７】
【表１】
2019230024.tif 000003
【００２８】
〔洗浄性能評価〕
つぎに、図３に示すように、フィルター収納部（水を張った水槽）１２内において、衝撃波発生部１０と、サンプル２０との間隔（ｄ［ｍｍ］）を５００ｍｍとし、衝撃波発生部１０へのチャージ電圧を変えて、洗浄性能を評価した。図３において、水槽１２の大きさ、水槽１２に張る水の量、および衝撃波発生部１０の構成は、図１におけるのと同様である。洗浄性能は、水槽１２から引き上げた際にサンプル２０に内包される水１０ｍＬをサンプル瓶に回収したものと、水槽１２に張った水道水１０ｍＬをサンプル瓶に分取したものとのＦＵＳＯ社製のデジタル濁度計「ＴＵ−２０１６」を用いて測定した濁度を比較することで評価した。評価は、１条件について、５回行った（Ｎ＝５）。その結果を、表２に示す。【００２９】
【表２】
2019230024.tif 000004
【００３０】
表２に示すとおり、衝撃波により、フィルターに与えられる圧力が０．０７ＭＰａ以上である実施例１〜３では、濁度が洗浄処理前を大幅に上回り、フィラーが十分に除去されることが確認された。一方、衝撃波により、フィルターに与えられる圧力が０．０７ＭＰａ未満である比較例１および２では、濁度が洗浄処理前と変わらず、フィラーの除去が不十分であった。また、フィルター１〜３を超音波洗浄にかけても、フィラーの除去は確認されず、実施例１〜３では、洗浄性能が超音波洗浄を上回った。
【産業上の利用可能性】
【００３１】
以上のように、本発明のフィルター洗浄方法およびフィルター洗浄装置は、洗浄性能が超音波洗浄を上回るものである。本発明のフィルター洗浄方法およびフィルター洗浄装置の用途は、特に限定されず、各種フィルターの洗浄に幅広く利用できる。【００３２】
以上、実施形態および実施例を参照して本発明を説明したが、本発明は、上記実施形態および実施例に限定されるものではない。本発明の構成や詳細には、本発明のスコープ内で当業者が理解しうる様々な変更をすることができる。【００３３】
この出願は、２０１８年５月２８日に出願された日本出願特願２０１８−１０１６０６を基礎とする優先権を主張し、その開示の全てをここに取り込む。
【符号の説明】
【００３４】
１０  衝撃波発生部
１１  圧力プローブ
１２  フィルター収納部（水槽）
１３  オシロスコープ
１４  パルス電源装置
２０  フィルター（サンプル）
【図１】
2019230024.tif 000005
【図２】
2019230024.tif 000006
【図３】
2019230024.tif 000007
【国際調査報告】
2019230024.tif 000008
2019230024.tif 000009
2019230024.tif 000010
2019230024.tif 000011